(57)【要約】【課題】液体薬品用ペール缶に接続可能な簡易な構成のディスペンサを提供する。【解決手段】液体薬品用ペール缶１０は、耐薬合成樹脂製の内側容器１と金属製の外側容器２を備える。内側容器１は筒状に形成される。外側容器２は内側容器１の外殻を構成する。内側容器１は液体薬品を注入可能に開口する口部１１を有する。ディスペンサ４０は、プラグ本体４１と通気手段４２と液出しパイプ４３を備える。プラグ本体４１は口部１１に密封可能に締結する。通気手段４２は、プラグ本体４１に貫通する開口４２ｂを有し、内側容器１の内部に圧縮流体を通気できる。液出しパイプ４３は、一端が内側容器１の底面に到達し、他端がプラグ本体４１から突出し、プラグ本体４１に密封可能に装着される。通気手段４２を介して、内側容器１の空気層に圧縮流体が加圧され、液体薬品が液出しパイプ４３の他端から排出される。【選択図】図２
2008100714.tif 000002
【特許請求の範囲】
【請求項１】
筒状に形成されて液体薬品を注入可能に開口する口部を有する耐薬合成樹脂製の内側容器と、この内側容器の外殻を構成する金属製の外側容器と、を備える液体薬品用ペール缶の前記口部に接続するディスペンサであって、
前記口部に密封可能に締結する円筒状のプラグ本体と、
前記プラグ本体の外部から前記口部に向かって貫通する開口を有し、前記内側容器の内部に圧縮流体を通気可能な通気手段と、
一端は前記内側容器の底面に到達し、他端は前記プラグ本体から突出し、前記プラグ本体に密封可能に装着される液出しパイプと、を備え、
前記通気手段を介して前記内側容器の空気層に前記圧縮流体が加圧されることにより、前記液体薬品が前記液出しパイプの他端から排出されるディスペンサ。
【請求項２】
前記プラグ本体は、前記口部の外周に螺合するカップリングリングと、このカップリングリングと回転可能に連結するプラグシェルと、前記カップリングリングの内部に保持され、前記口部の端面に密着して当該カップリングリングと当該プラグシェルとの境界の通気を封止するシールリングと、を備え、
前記プラグシェルは、前記通気手段と、前記液出しパイプを着脱自在に固定する合成樹脂製の第１ジョイントと、を配置している請求項１記載のディスペンサ。
【請求項３】
前記通気手段は、前記プラグ本体の開口に接続するＬ形の合成樹脂製の第２ジョイントを含んでいる請求項１又は２記載のディスペンサ。
【請求項４】
前記プラグ本体及び前記液出しパイプはポリオレフィンで構成されている請求項１から３のいずれかに記載のディスペンサ。
【請求項５】
前記圧縮流体は不活性ガスである請求項１から４のいずれかに記載のディスペンサ。
【発明の詳細な説明】
【技術分野】
【０００１】
本発明は、ディスペンサに関する。特に、本発明は、電子工業用薬品などの流体を貯蔵し、運搬し、かつ分配する液体薬品用ペール缶に接続するディスペンサの構造に関する。
【背景技術】
【０００２】
例えば、ホトレジストなどの電子工業用薬品は、運搬用の薬品容器に貯蔵されて製造工場に納入される。このような薬品容器は、同じ容器を繰返し使用するリンク方式と、毎回新しい容器を使用するワンウェイ方式がある。特に、高純度薬品の純度に影響を与えぬためには、ワンウェイ方式の容器を使用することが好ましいが、経済的ではないという欠点がある。近年では、前記両方式を複合した複式格納型の容器が普及している。
【０００３】
一般に、複式格納型の容器は、予め洗浄された可撓性フィルムからなるバッグ（袋体）を有している。このフィルム・バッグは、不活性材料から形成され、外側容器の中に設けられている。フィルム・バッグから薬品を排出した後に、このフィルム・バッグは廃棄され、新たなフィルム・バッグに薬品が充填される。そして、継手などを含む外側容器は繰返し使用される。
【０００４】
このような複式格納型の容器として、安全、確実に液体薬品を排出できる液体薬品用容器が発明されている（例えば、特許文献１参照）。
【特許文献１】特開平６−１０００８７号公報
【発明の開示】
【発明が解決しようとする課題】
【０００５】
図７は、特許文献１による容器及びディスペンサの正面図であり、要部を断面としている。本願の図７は、特許文献１の図１に相当している。
【０００６】
図７において、特許文献１による容器は、容器７及びディスペンサ８を備えている。容器７は、外側容器７１６と、ポート（以下、取付体という）７１８と、リテーナ７１９を備えている。又、容器７は、可撓性のバッグ７２０と、液出しチューブ７２２と、カップリング７２４と、を備えている。更に、容器７は、蓋７２６と、破断可能なシール膜７２７と、キャップ７２８と、を備えている。
【０００７】
図７において、外側容器７１６は、雄ねじを形成する口部７３０を有し、口部７３０の中には、リテーナ７１９及び取付体７１８が取り付けられている。バッグ７２０は、取付体７１８に取り付けられ、外側容器７１６の中に設けられている。又、カップリング７２４は、取付体７１８の中に設けられ、バッグ７２０の内部の中へ下がっている液出しチューブ７２２に接続されている。
【０００８】
図７において、蓋７２６は、取付体７１８、カップリング７２４及び外側容器７１６の口部７３０を包囲すると共に、破断可能なシール膜７２７によって取付体７１８及び外側容器７１６を封止している。そして、キャップ７２８は、蓋７２６の頂部をねじ止めしている。
【０００９】
図７において、外側容器７１６は、スチール製のドラム缶であって、地板７３２、胴体７３４、傾斜した天板７３６を備えている。又、外側容器７１６は、天板７３６に口部７３０を有し、胴体７３４は、成形された一対のハンドル７３８を有している。
【００１０】
図７において、ディスペンサ８は、下部コネクタ８４２と、リテーナ８４４と、プローブ８４６と、上部コネクタ８４８と、を備えている。リテーナ８４４は、下部コネクタ８４２の中に入れ子式に収容されている。プローブ８４６は、リテーナ８４４を貫通し、リテーナ８４４によって支持されている。上部コネクタ８４８は、リテーナ８４４及び下部コネクタ８４２に接続され、プローブ８４６を包囲している。
【００１１】
図７において、バッグ７２０が装着された取付体７１８を口部７３０に取り付けた後に、バッグ７２０に液体薬品が充填される前に、好ましくは窒素によって膨張される。その後、バッグ７２０は取付体７１８を介して液体薬品で充填される。次に、液出しチューブ７２２及びカップリング７２４を取付体７１８に挿入する。蓋７２６は、破断可能なシール膜７２７を取付体７１８の頂端部上に置き、空所７７６を封止する。又、容器７の口部７３０にキャップ７２８を設けて破断可能なシール膜７２７を覆うことができる。
【００１２】
容器７を運搬及びハンドリングの間に、可撓性のバッグ７２０の中に発生した気体は全て、液出しチューブ７２２のカップリング７２４によって形成された気体通路を通って流れ、液出しチューブ７２２のカップリング７２４の上端に設けられた空所７７６に溜まることができる。
【００１３】
特許文献１による容器７は、破断可能なシール膜７２７を備えており、ディスペンサ８に設けられるプローブ８４６がシール膜７２７を突き破ることにより、プローブ８４６は空所７９０の中に挿入することができる。容器７にディスペンサ８を接続し、ディスペンサ８及び空所７８２を介して、バッグ７２０内を窒素で加圧することにより、プローブ８４６から液体薬品を排出できる。
【００１４】
特許文献１による容器７は、液出しチューブ７２２付きカップリング７２４を内蔵して運搬される構成となっている。液出しチューブをディスペンサ側に配置する構成とすれば、液体薬品用容器の製造原価を引き下げることも可能である。
【００１５】
又、特許文献１による容器７は、完全密封容器である、いわゆるキャニスター缶であり、厚肉の金属板を成形加工した堅牢な構造であるが、製造原価が高価であるという問題がある。高価なキャニスター缶に換えて、薄肉の金属板を成形加工することにより、廉価に製造できる液体薬品用ペール缶が求められる。
【００１６】
更に、特許文献１による容器７は、液体薬品が排出された可撓性のバッグ７２０は廃棄され、液出しチューブ７２２が洗浄された後に、新たなバッグ７２０に装着される。ワンウェイ方式のペール缶であれば、液出しチューブ７２２の洗浄の手間や、外側容器７１６へのバッグ７２０の詰め替えの手間が省け、総合的にはむしろ経済的であるといえる。
【００１７】
例えば、成形された耐薬合成樹脂製の内側容器を金属製の外側容器で囲う二重構造の液体薬品用ペール缶とすることにより、特許文献１による容器と比較して、廉価であり簡易な構成の液体薬品用容器を提供できる。又、特許文献１によるディスペンサは、複雑な流体通路を経由して液体薬品を分配しているが、液体薬品をペール缶に収容することにより、このペール缶を直接加圧して液体薬品を分配できる。すなわち、ディスペンサの構成も簡易にできる。液体薬品用ペール缶に接続可能な簡易な構成のディスペンサが求められる。そして、以上のことが本発明の課題といってよい。
【００１８】
本発明は、このような問題に鑑みてなされたものであり、廉価に製造できる液体薬品用ペール缶に接続可能な簡易な構成のディスペンサを提供することを目的とする。
【課題を解決するための手段】
【００１９】
本発明者は、成形された耐薬合成樹脂製の内側容器を金属製の外側容器で囲う二重構造のペール缶とすることにより、ディスペンサが簡易に構成されることを見出し、これに基づいて、以下のような新たなディスペンサを発明するに至った。
【００２０】
（１）  筒状に形成されて液体薬品を注入可能に開口する口部を有する耐薬合成樹脂製の内側容器と、この内側容器の外殻を構成する金属製の外側容器と、を備える液体薬品用ペール缶の前記口部に接続するディスペンサであって、前記口部に密封可能に締結する円筒状のプラグ本体と、前記プラグ本体の外部から前記口部に向かって貫通する開口を有し、前記内側容器の内部に圧縮流体を通気可能な通気手段と、一端は前記内側容器の底面に到達し、他端は前記プラグ本体から突出し、前記プラグ本体に密封可能に装着される液出しパイプと、を備え、前記通気手段を介して前記内側容器の空気層に前記圧縮流体が加圧されることにより、前記液体薬品が前記液出しパイプの他端から排出されるディスペンサ。
【００２１】
（１）の発明によるディスペンサは、液体薬品用ペール缶の口部に接続する。液体薬品用ペール缶は、耐薬合成樹脂製の内側容器と金属製の外側容器を備えている。内側容器は、筒状に形成されており、液体薬品を注入可能に開口する口部を有している。外側容器は、内側容器の外殻を構成している。
【００２２】
又、（１）の発明によるディスペンサは、円筒状のプラグ本体と、通気手段と、液出しパイプと、を備えている。プラグ本体は、口部に密封可能に締結する。通気手段は、プラグ本体の外部から口部に向かって貫通する開口を有し、内側容器の内部に圧縮流体を通気可能である。液出しパイプは、一端が内側容器の底面に到達し、他端がプラグ本体から突出し、プラグ本体に密封可能に装着される。そして、通気手段を介して、内側容器の空気層に圧縮流体が加圧されることにより、液体薬品が液出しパイプの他端から排出される。
【００２３】
ここで、液体薬品用ペール缶の外側容器は、天板と胴体と地板を有している。天板は、口部が突出する穴を有している。胴体は、内側容器の外周を囲っている。地板は、内側容器の底面に当接している。そして、外側容器は、内側容器に加わる内圧に対して、内側容器の変形を防止するように剛性を有している。
【００２４】
内側容器が筒形に形成されているとは、内側容器が直円柱状に形成される形状を含み、内側容器が上面の面積が底面の面積より大きい直円すい台状に形成される形状を含んでいる。又、内側容器が筒形に形成されているとは、内側容器の上面に口部が突出することを排除しない。液体薬品用ペール缶は、内側容器が角筒形に形成されることを必ずしも排除しない。しかし、内側容器の製作の容易性や、内部圧力による膨張などの変形に抗するためには、内側容器は角筒よりも円筒が好ましい。
【００２５】
耐薬合成樹脂製の内側容器とは、内側容器が耐薬合成樹脂で製造されることであってよく、内側容器がプラスチック成形されることにより大量生産できる。更に、耐薬合成樹脂製の内側容器とは、この内側容器に収容される薬品、すなわち化学物質が内側容器と接触して化学反応、例えばイオンによる汚染が困難である合成樹脂から成る内側容器を意味している。耐薬合成樹脂は、耐酸合成樹脂を含み、耐アルカリ合成樹脂を含み、耐腐蝕合成樹脂を含み、例えば、ポリエチレン（ＰＥ）やポリプロピレン（ＰＰ）などを含むポリオレフィンが好ましい。
【００２６】
外側容器は、内側容器を覆うべく金属板が製缶されてよく、内側容器の外殻を構成している。外側容器は、内側容器を保護し、又は、内側容器の力学的強度を補強し、吊手やつる状の取っ手など必要な付属品が取り付けられる構造を有している。
【００２７】
外側容器は内側容器の外殻を構成するとは、内側容器の外周全てに亘り、外側容器が当接することを必ずしも意味しない。外側容器自体の力学的強度を増加させるために、内側容器の外周を囲う胴体に輪帯を設けてよく、天板に同心円状に輪帯を設けてよく、これらの輪帯が内側容器と部分的に当接又は離反してもよい。又、口部が突出する穴を天板に設けてよく、この穴に引張り応力が集中して亀裂が生じないように、この穴の周囲に円環状の段差を設けて補強してもよい。
【００２８】
そして、内側容器は、液体薬品を注入可能に開口する口部を有しており、この口部から液体薬品が排出することができる。口部は、筒状に形成された内側容器の本体と一体に成形されてよく、別体の口部を内側容器の本体に溶着してもよい。又、口部の根元と外側容器との間に輪環状のパッキンを介装してよく、内側容器と外側容器との間に液体薬品が侵入しないように防水できる。
【００２９】
例えば、外側容器は、平板状の鋼板を円筒状に形成して胴体を製作し、天板及び地板を巻締めにより胴体に固着する、いわゆる天板固着式のペール缶であってよく、天板がバンドにより胴体に締め付けられている、いわゆる天板取り外し式バンドタイプのペール缶であってもよく、天板は周縁に複数の爪を有し、この天板が複数の爪により胴体に締め付けられている、いわゆる天板取り外し式ラグタイプのペール缶であってもよい。又、天板、及び／又は地板は、必要に応じて胴体の終端にシーム溶接されてもよい。
【００３０】
このように、薄肉の鋼板が成形加工されたペール缶は、厚肉の鋼板が成形加工されたキャニスター缶と比較して、製造が容易であり、廉価に製造できるというメリットがある。
【００３１】
液体薬品用ペール缶は、口部の外周に雄ねじを設けてよく、口部の開口をキャップで封止し、更に口部を蓋で螺合することにより、液体薬品用ペール缶が密閉される。そして、液体薬品をこぼすことなく搬送できる。又、外周に雄ねじを設ける口部を利用して、ディスペンサを着脱容易に取り付けることができる。
【００３２】
ディスペンサのプラグ本体は、一端が円形に開口されてよく、この開口の内周に雌めじを形成することにより、プラグ本体を液体薬品用ペール缶の口部にねじ結合できる。プラグ本体の外周に筋目ローレットを形成してもよく、プラグ本体を口部に確実にねじ結合できる。又、プラグ本体の開口にシールリングを内装してよく、プラグ本体を口部に締結することにより口部を密封できる。
【００３３】
例えば、通気手段は、プラグ本体の外部から口部に向かって貫通する開口を含み、このプラグ本体の開口に接続するＬ字形（エルボ形）の合成樹脂製の第２ジョイントを含むことができる。そして、第２ジョイントをプラグ本体の開口に接続して、内側容器の内部に圧縮流体を通気できる。
【００３４】
液出しパイプは、一端が内側容器の底面に到達し、他端がプラグ本体から突出し、プラグ本体に密封可能に装着される。液出しパイプの一端は斜めにカットされてよく、液出しパイプの他端にＬ字形のジョイント（継手）を接続してもよい。
【００３５】
後述する第１ジョイントは、市販のストレートタイプのホルダを利用できる。このホルダは、液出しパイプをプラグ本体にスライド自在に保持できる。又、このホルダは、液出しパイプを着脱自在に固定できる。例えば、このホルダは、ボルト状の中空の本体と、中心が開口された袋ナットと、で構成されている。ボルト状の本体は、液出しパイプをスライド自在に保持でき、プラグ本体に締結可能な雄ねじ部を一端側に有し、円錐状のスリーブを他端側に有している。そして、袋ナットをボルト状の本体の他端側に締結すると、スリーブが縮径して、液出しパイプをホルダに固定できる。袋ナットをボルト状の本体の他端側から開放すると、スリーブが復帰して、液出しパイプを引き抜くことができる。
【００３６】
このように、ホルダを用いて、液出しパイプの一端が内側容器の底面に到達するように位置調整できる。そして、通気手段を介して、内側容器の空気層に圧縮流体が加圧されることにより、液体薬品が液出しパイプの他端から排出される。
【００３７】
（１）の発明によるディスペンサは、円筒状のプラグ本体、通気手段、及び液出しパイプからなる、簡易な構成であり、ディスペンサに備わる通気手段を介して、液体薬品用ペール缶を直接加圧することにより液体薬品を分配できる。
【００３８】
（２）  前記プラグ本体は、前記口部の外周に螺合するカップリングリングと、このカップリングリングと回転可能に連結するプラグシェルと、前記カップリングリングの内部に保持され、前記口部の端面に密着して当該カップリングリングと当該プラグシェルとの境界の通気を封止するシールリングと、を備え、前記プラグシェルは、前記通気手段と、前記液出しパイプを着脱自在に固定する合成樹脂製の第１ジョイントと、を配置している（１）記載のディスペンサ。
【００３９】
（２）の発明によるディスペンサは、プラグシェルがカップリングリングと回転可能に連結しているので、通気手段の供給口、又は液出しパイプの排出口を任意の向きに配置できる。
【００４０】
（３）  前記通気手段は、前記プラグ本体の開口に接続するＬ形の合成樹脂製の第２ジョイントを含んでいる（１）又は（２）記載のディスペンサ。
【００４１】
（４）  前記プラグ本体及び前記液出しパイプはポリオレフィンで構成されている（１）から（３）のいずれかに記載のディスペンサ。
【００４２】
ポリオレフィンは、ポリエチレン（ＰＥ）を含み、ポリプロピレン（ＰＰ）を含むことができる。
【００４３】
（５）  前記圧縮流体は不活性ガスである（１）から（４）のいずれかに記載のディスペンサ。
【００４４】
例えば、不活性ガスは窒素ガスを使用できる。
【発明の効果】
【００４５】
本発明によるディスペンサは、円筒状のプラグ本体、通気手段、及び液出しパイプからなる、簡易な構成であり、ディスペンサに備わる通気手段を介して、液体薬品用ペール缶を直接加圧することにより液体薬品を分配できる。
【発明を実施するための最良の形態】
【００４６】
以下、図面を参照して本発明を実施するための最良の形態を説明する。
【００４７】
図１は、本発明に係わる液体薬品用ペール缶の一実施形態を示す斜視外観図である。図２は、本発明によるディスペンサの一実施形態を示す正面図であり、要部を断面で示している。図３は、前記実施形態によるディスペンサの分解組立図であり、液体薬品用ペール缶が接続された状態図である。
【００４８】
図４は、前記実施形態によるディスペンサを液体薬品用ペール缶に接続する直前の状態を示す斜視外観図である。図５は、前記実施形態によるディスペンサのプラグ本体を液体薬品用ペール缶の口部に締結している状態を示す斜視外観図である。図６は、前記実施形態によるディスペンサを液体薬品用ペール缶に接続した状態を示す斜視外観図である。
【００４９】
最初に、本発明に係わる液体薬品用ペール缶の構成を説明する。図１において、液体薬品用ペール缶１０（以下、容器１０という）は、耐薬合成樹脂製の内側容器１と金属製の外側容器２を備えている。内側容器１は、筒状に形成されている。外側容器２は、内側容器１の外殻を構成している。内側容器１は、液体薬品を注入可能に開口する口部１１を有している。
【００５０】
図１において、外側容器２は、天板２１と胴体２２と地板２３を有している。天板２１は、口部１１が突出する穴２ａを有している。胴体２２は、内側容器１の外周を囲っている。地板２３は、内側容器１の底面に当接している。
【００５１】
図１に示された内側容器１は、上面の面積が底面の面積より大きい直円すい台状に形成されている。内側容器１は、耐薬合成樹脂で成形されている。内側容器１は、口部１１が一体でプラスチック成形されている。
【００５２】
図１において、外側容器２は、内側容器１を覆うべく金属板が製缶されており、内側容器１の外殻を構成している。外側容器２は、内側容器１の外周全てに亘り、必ずしも当接していない。図１において、内側容器１の外周を囲う胴体２２に輪帯（図示せず）が設けられてもよく、外側容器２自体の力学的強度を増加できる。例えば、前記輪帯は、内側容器１と部分的に離反している。
【００５３】
図１において、天板２１には、同心円状に複数の輪帯２１ａが設けられおり、外側容器２自体の力学的強度を増加させている。輪帯２１ａは、内側容器１と部分的に当接している。又、穴２ａの周囲に円環状の段差２１ｂが設けられ、穴２ａに引張り応力が集中して亀裂が生じないように補強されている（図２参照）。
【００５４】
図１において、口部１１の外周には雄ねじ１１ａが形成されている（図２参照）。口部１１の開口をキャップ３１で封止し、更に口部１１を蓋３２で螺合することにより、容器１０が密閉される。そして、液体薬品をこぼすことなく運搬できる。
【００５５】
図１に示された外側容器２は、平板状の鋼板を円筒状に形成して胴体２２を製作し、天板２１及び地板２３を巻締めにより胴体に固着する、いわゆる天板固着式のペール缶となっている。又、図１に示された外側容器２は、天板２１に吊手２４を備えている。そして、吊手２４を回動自在に支持する取付金具２４ａは、天板２１にスポット溶接で接合されている。吊手２４は、天板２１の略中心に配置されている。
【００５６】
外側容器２は、平板状の鋼板を円筒状に形成して胴体２２を製作し、天板２１がバンド（図示せず）により胴体２２に締め付けられている、いわゆる天板取り外し式バンドタイプのペール缶としてもよい。この天板取り外し式バンドタイプのペール缶は、胴体２２の天板２１側に一対のイヤー（図示せず）を設け、一対のイヤーと回動可能に連結するつる状の取っ手（図示せず）を備えてもよい。
【００５７】
又、外側容器２は、平板状の鋼板を円筒状に形成して胴体２２を製作し、天板２１が複数の爪（図示せず）により胴体２２に締め付けられている、いわゆる天板取り外し式ラグタイプのペール缶としてもよい。そして、天板取り外し式ラグタイプのペール缶につる状の取っ手を備えることもできる。
【００５８】
図１に示されるように、胴体２２は、天板２１側の面積が地板２３側の面積より大きい直円すい台状に形成されている。しかし、胴体２２は、直円柱状に形成されてもよい。このように、薄肉の鋼板が成形加工されたペール缶は、厚肉の鋼板が成形加工されたキャニスター缶と比較して、製造が容易であり、廉価に製造できる。
【００５９】
次に、本発明によるディスペンサの構成を説明する。図２又は図３において、外周に雄ねじ１１ａを設ける口部１１を利用して、ディスペンサ４０を容器１０に着脱容易に取り付けることができる。そして、ディスペンサ４０は、円筒状のプラグ本体４１と、内側容器の内部に圧縮流体を通気可能な通気手段４２と、液出しパイプ４３と、を備えている。
【００６０】
図２又は図３において、プラグ本体４１は、一端が円形に開口されており、この開口の内周に雌めじ４１１を形成することにより、プラグ本体４１を口部１１にねじ結合できる。プラグ本体４１の外周には、筋目ローレット４１２が形成されており、プラグ本体４１を口部１１に確実にねじ結合できる。又、プラグ本体４１の開口には、シールリング４１ａが内装されており、プラグ本体４１を口部１１に締結することにより口部１１を密封できる。
【００６１】
図２又は図３において、通気手段４２は、プラグ本体４１の外部から口部１１に向かって貫通する開口４２ｂを含み、開口４２ｂに接続するＬ字形（エルボ形）の合成樹脂製の第２ジョイント４２ａを含むことができる。第２ジョイント４２ａは、市販のエルボ形クイック継手を使用できる。そして、第２ジョイント４２ａをプラグ本体４１の開口４２ｂに接続して、内側容器１の内部に圧縮流体を通気できる。
【００６２】
図２において、液出しパイプ４３は、一端が内側容器１の底面に到達し、他端がプラグ本体４１から突出し、プラグ本体４１に密封可能に装着される。液出しパイプ４３の一端４３１は斜めにカットされており、液出しパイプ４３の他端４３２にＬ字形のジョイント（継手）４５が接続されている。ジョイント４５は、市販のエルボ形クイック継手を使用できる。
【００６３】
図２又は図３において、ジョイント４５は、ジョイント本体４５ａと、中心が開口された袋ナット４５ｂと、で構成されている。液出しパイプ４３の他端４３２は、円錐体状の段差が形成され、袋ナット４５ｂをジョイント本体４５ａに締結することにより、シール接続できる。
【００６４】
図２又は図３において、プラグ本体４１は、カップリングリング４１ｒとプラグシェル４１ｓとシールリング４１ａで構成されている。カップリングリング４１ｒは、口部１１の外周に螺合できる。プラグシェル４１ｓは、カップリングリング４１ｒと回転可能に連結している。
【００６５】
図２又は図３において、プラグシェル４１ｓは、一端側にフランジを形成しており、カップリングリング４１ｒの他端側の開口から離脱困難となっている。プラグシェル４１ｓは、カップリングリング４１ｒの一端側の開口から挿入されて組み込まれるが、シールリング４１ａに阻止されて、カップリングリング４１ｒの他端側の開口からも離脱困難となっている。
【００６６】
図２又は図３において、シールリング４１ａは、カップリングリング４１ｒの内部に保持され、口部１１の端面に密着して、カップリングリング４１ｒとプラグシェル４１ｓとの境界の通気を封止する。そして、プラグシェル４１ｓは、通気手段４２と、液出しパイプ４３を着脱自在に固定する合成樹脂製の第１ジョイント４４と、を配置している。
【００６７】
図２又は図３において、第１ジョイント４４は、市販のストレートタイプのホルダを利用できる。第１ジョイント４４は、液出しパイプ４３をプラグ本体４１にスライド自在に保持できる。又、第１ジョイント４４は、液出しパイプ４３を着脱自在に固定できる。
【００６８】
図２又は図３において、第１ジョイント４４は、ボルト状の中空の本体４４ａと、中心が開口された袋ナット４４ｂと、で構成されている。ボルト状の本体４４ａは、液出しパイプ４３をスライド自在に保持でき、プラグシェル４１ｓに締結可能な雄ねじ部４４１を一端側に有し、円錐状のスリーブ４４２を他端側に有している。袋ナット４４ｂをボルト状の本体４４ａの他端側に締結すると、スリーブ４４２が縮径して、液出しパイプ４３を第１ジョイント４４に固定できる。袋ナット４４ｂをボルト状の本体４４ａの他端側から開放すると、スリーブ４４２が復帰して、液出しパイプ４３を引き抜くことができる。
【００６９】
このように、第１ジョイント４４を用いて、液出しパイプ４３の一端が内側容器１の底面に到達するように位置調整できる。そして、通気手段４２を介して、内側容器１の空気層に圧縮流体が加圧されることにより、液体薬品が液出しパイプ４３の他端から排出される。
【００７０】
次に、本発明によるディスペンサの作用を説明する。
【００７１】
例えば、図１に示された容器１０は、定格容量が２０リットルのペール缶であり、耐力が０．５ｋｇｆ／ｃｍ２となっている。内側容器１は、ポリエチレン（ＰＥ）やポリプロピレン（ＰＰ）などのポリオレフィンで成形されてよく、感光性樹脂組成物を含む液体薬品が収容されている。
【００７２】
図４に示されるように、ディスペンサ４０は、第１ジョイント４４、液出しパイプ４３、及び第２ジョイント４２ａが予めプラグ本体４１に組み込まれている。又、液出しパイプ４３には、ジョイント４５が接続されている。このように、各要素が一体となったディスペンサ４０は、液出しパイプ４３を先頭に容器１０の口部１１に挿入される（図４参照）。
【００７３】
次に、図５に示されるように、プラグ本体４１を回転して、容器１０の口部１１に締結することにより、ディスペンサ４０を容器１０に固定できる（図４参照）。図６に示された接続状態では、袋ナット４４ｂを弛めることにより、液出しパイプ４３の先端位置を調整することもできる。又、カップリングリング４１ｒ（図２参照）を弛めることにより、プラグシェル４１ｓ（図２参照）を任意の角度に回転できる。
【００７４】
図６において、第２ジョイント４２ａにチューブ４２ｃを接続し、チューブ４２ｃの縁端から窒素ガスなどの不活性ガスを供給することにより、通気手段を介して、内側容器１の空気層に圧縮流体が加圧され、液体薬品が液出しパイプ４３を介してジョイント４５から排出される（図２参照）。
【００７５】
本発明によるディスペンサは、円筒状のプラグ本体、通気手段、及び液出しパイプからなる、簡易な構成であり、ディスペンサに備わる通気手段を介して、液体薬品用ペール缶を直接加圧することにより液体薬品を分配できる。
【００７６】
又、本発明によるディスペンサは、プラグ本体及び液出しパイプをポリオレフィンで構成し、液体薬品の品質に影響を与えないように考慮している。各種のジョイントも同様にポリオレフィンで構成している。
【図面の簡単な説明】
【００７７】
【図１】本発明に係わる液体薬品用ペール缶の一実施形態を示す斜視外観図である。
【図２】本発明によるディスペンサの一実施形態を示す正面図であり、要部を断面で示している。
【図３】前記実施形態によるディスペンサの分解組立図であり、液体薬品用ペール缶が接続された状態図である。
【図４】前記実施形態によるディスペンサを液体薬品用ペール缶に接続する直前の状態を示す斜視外観図である。
【図５】前記実施形態によるディスペンサのプラグ本体を液体薬品用ペール缶の口部に締結している状態を示す斜視外観図である。
【図６】前記実施形態によるディスペンサを液体薬品用ペール缶に接続した状態を示す斜視外観図である。前記実施形態によるディスペンサを液体薬品用ペール缶に接続した状態を示す斜視外観図である。
【図７】従来技術による容器及びディスペンサの正面図であり、要部を断面としている。
【符号の説明】
【００７８】
１  内側容器
２  外側容器
２ａ  穴
１０  液体薬品用ペール缶（容器）
４０  ディスペンサ
４１  プラグ本体
４２  通気手段
４２ａ  第２ジョイント
４２ｂ  開口
４３  液出しパイプ
４４  第１ジョイント
【図１】
2008100714.tif 000003
【図２】
2008100714.tif 000004
【図３】
2008100714.tif 000005
【図４】
2008100714.tif 000006
【図５】
2008100714.tif 000007
【図６】
2008100714.tif 000008
【図７】
2008100714.tif 000009